(57)【要約】      （修正有）【課題】蝶番式印籠貼箱において、人手による紙の貼り作業を極力排してコスト安く製作する。【解決手段】身１に内箱が収められており、身の側壁１ａと蓋の側壁２ａの外側と内側とにそれぞれ外紙４と内紙とを貼って蓋２の開閉に蝶番機能をもたせた蝶番式印籠貼箱において、内紙に代えて、一端が蝶番部における蓋の側壁２ａの内面に接着され、他端が身の側壁１ａの高さから身と蓋の側壁１ａ，２ａの厚みを引いた長さを最大長として身１側に非接着で延びる蝶番紙６を設け、蝶番紙６を身の側壁１ａの内面側に折り返して蝶番紙６と身１との間に内箱を収容したことを特徴とする蝶番式印籠貼箱。【選択図】図１
2008056333.tif 000002
【特許請求の範囲】
【請求項１】
身に内箱が収められており、身の側壁と蓋の側壁の外側と内側とにそれぞれ外紙と内紙とを貼って蓋の開閉に蝶番機能をもたせた蝶番式印籠貼箱において、内紙に代えて、一端が蝶番部における蓋の側壁の内面に接着され、他端が身の側壁の高さから身と蓋の側壁の厚みを引いた長さを最大長として身側に非接着で延びる蝶番紙を設け、蝶番紙を身の側壁の内面側に折り返して蝶番紙と身との間に内箱を収容したことを特徴とする蝶番式印籠貼箱。
【請求項２】
蝶番紙が蓋の天井の裏面まで延ばされて接着されている請求項１の蝶番式印籠貼箱。
【請求項３】
蝶番紙が蓋の両側の側壁の内面の一部又は全部に延ばされて接着されている請求項１又は２の蝶番式印籠貼箱。
【発明の詳細な説明】
【技術分野】
【０００１】
本発明は、印籠貼箱のうち、蝶番機能をもたせた蝶番式印籠貼箱に関する。
【背景技術】
【０００２】
容器としての箱には、下記特許文献１に示されるような印籠貼箱と称せられる高級箱があるが、この中に、蓋を開くと、蓋が身と一端で繋がったままに保たれる蝶番式印籠貼箱と称せられるものがある。図４はこの蝶番式印籠貼箱の斜視図であるが、身１と蓋２と内箱３とからなる。このうち、身１と蓋２とは横幅と縦幅が同じサイズであり、蓋２を身１に被せて閉じたときには、各々の側壁１ａ、２ａは連続した状態で一つの直方体を構成するものである。内箱３は身１の中に挿入されるもので、その高さは身１の高さよりも若干高くしてあり、蓋２を閉じたときには身１と蓋２とに亘って存在するようになっている。この内箱３の役割は、蓋２の案内を兼ねるとともに、身１と蓋２の強度を高め、デザイン性を増して高級感を出すためである。
【０００３】
図５、図６は蝶番部を示す要部断面図であるが、蝶番部では、身１の側壁１ａと蓋２の側壁２ａの外側と内側とにそれぞれ外紙４と内紙５を貼って蝶番機構としている。この場合、特に内紙５においては、蓋２を開けたときと閉じたときでは長さが変わるものになるから、蓋２を一杯に開けたときの長さに設定しておき、蓋２を閉じたときには、それぞれの側壁１ａ、２ａの端面の間に折り畳むようにしてその長さを吸収している。したがって、蝶番部では、内紙５を身１の側壁１ａと蓋２の側壁２ａの端面に接着する必要があり、手間のかかるものになっていた。また、蓋２を閉じたときには、身１と蓋２との間に内紙５の厚みｔの二倍の隙間２ｔが現出することになり、体裁の悪いものになっていた。このため、内紙５としてあまり厚いものを使用できず、蝶番機能や耐久性において劣るものになっていた。
【０００４】
加えて、蓋２を開いたとき、蓋２が完全に開いてその外方端がだらりと下がって下に着くようなものは体裁が悪いとして嫌われる。すなわち、蓋２を開いた場合でも、身１の内部は開放するが、その外端は未だ上方に留まっている途中開きになっているのが好ましいとされている。さらに、このとき、蓋２はある程度の弾力性をもって開いている弾性開きが優れているとされている。これを具現するには、外紙４や内紙５の質や厚みを考慮してその貼り方に熟練を要するし、加えて、この作業は人手でしかできないことから、非常にコストの高いものになっていた。
【特許文献１】特開平１１−３０１６５７号公報
【発明の開示】
【発明が解決しようとする課題】
【０００５】
本発明は、このような課題に対処するものであり、人手による接着作業を極力排して途中開きと弾性開きをを可能にしたもので、その結果、コストを安くすることに成功したものである。
【課題を解決するための手段】
【０００６】
以上の課題の下、本発明は、請求項１に記載した、身に内箱が収められており、身の側壁と蓋の側壁の外側と内側とにそれぞれ外紙と内紙とを貼って蓋の開閉に蝶番機能をもたせた蝶番式印籠貼箱において、内紙に代えて、一端が蝶番部における蓋の側壁の内面に接着され、他端が身の側壁の高さから身と蓋の側壁の厚みを引いた長さを最大長として身側に非接着で延びる蝶番紙を設け、蝶番紙を身の側壁の内面側に折り返して蝶番紙と身との間に内箱を収容したことを特徴とする蝶番式印籠貼箱を提供するとともに、これにおいて、請求項２に記載した、蝶番紙が蓋の天井の裏面まで延ばされて接着されている手段、請求項３に記載した、蝶番紙が蓋の両側の側壁の内面の一部又は全部に延ばされて接着されている手段を提供したものである。
【発明の効果】
【０００７】
請求項１の手段によると、蝶番紙の一端を蓋の側壁の内面に接着するのみで蝶番機能を現出できることになり、人手による貼り作業を必要としないから、コストを安くできる。また、蝶番機能も画一的に安定したものになり、耐久性も高いものになる。請求項２及び３の手段によると、蓋の強度を高めることができる。
【発明を実施するための最良の形態】
【０００８】
以下、本発明の実施の形態について図面を参照して説明する。図１〜図３は本発明に係る蝶番式印籠貼箱における蝶番部の要部断面図であるが、本発明では、上記した内紙５に代えて蝶番紙６を使用し、この蝶番紙６は、その一端側で蓋２の側壁２ａに内面にのみ接着し、他端側は非接着で身１側に延ばしているものである（図１）。そして、内箱３を身１に収容するとき、身１側に延ばされた蝶番紙６を身１の側壁１ａ側に折り返し、この間に挿入するものである（図２）。これによると、蓋２の開閉時における蝶番紙６の長さ調整は、その他端側が身１の側壁１ａと内箱３の間を上下することで吸収できる。具体的には、蓋２を開けたときの蝶番部における蝶番紙６の増長は、他端側が上方に移動することで可能になり（図２）、閉じたときの長さの吸収は、下方に移動することで可能になる（図３）。
【０００９】
したがって、開閉時に蝶番紙６を折り畳む必要はないから、ここに上記した隙間はできず、体裁の良いものになる。また、蝶番紙６の厚みも自由に選定でき、これをある程度厚いものにしておけば、上記した途中開きや弾性開きをより可能にするし、耐久性も高いものになる。さらに、熟練を有する貼り作業が軽減されるから、コスト安くできる。なお、紙の繊維の方向には向きがあり、繊維が身１と蓋２の方向に向いているものを縦目、これと直角に向いているものを横目というが、縦目にすれば、蓋２の開閉が腰のあるものになり、横目にすれば、軟らかいものになる。
【００１０】
ところで、これらの機能を確保しようとすると、蝶番紙６には、蓋２を開けたときには、折曲点が蓋２の側壁２ａの外角と身２の側壁１ａの内角の二箇所にでき、閉じたときには、この折曲が元に戻って（折り畳まれたりしないで）一枚物になる性質が要求され、この点で、ある程度の厚みを有する紙ということになる。なお、内箱３を挿入するときの折り返しをこのようにしておくことで、折曲が確実になる。また、蝶番紙６の他端側の長さは、身１の側壁１ａの高さから両側壁１ａ、２ａの厚みを引いた長さを最大長とすることになる。この他、蝶番紙６を蓋２の天井２ｂまで延ばし、その裏面に接着してもよく、さらに、両側の側壁１ａの一部又は全部まで延ばし、その内面に接着してもよい。これらによると、蓋２を強化することができる。
【図面の簡単な説明】
【００１１】
【図１】本発明に係る蝶番式印籠貼箱の蝶番部の要部断面図である。
【図２】本発明に係る蝶番式印籠貼箱の蝶番部の要部断面図である。
【図３】本発明に係る蝶番式印籠貼箱の蝶番部の要部断面図である。
【図４】蝶番式印籠貼箱の斜視図である。
【図５】従来の蝶番式印籠貼箱における蝶番部の要部断面図である。
【図６】従来の蝶番式印籠貼箱における蝶番部の要部断面図である。
【符号の説明】
【００１２】
１    身
１ａ  身の側壁
２    蓋
２ａ  蓋の側壁
２ｂ  蓋の天井
３    内箱
４    外紙
５    内紙
６    蝶番紙
【図１】
2008056333.tif 000003
【図２】
2008056333.tif 000004
【図３】
2008056333.tif 000005
【図４】
2008056333.tif 000006
【図５】
2008056333.tif 000007
【図６】
2008056333.tif 000008